(57)【要約】      （修正有）【課題】番組本編の観察を妨げることなく電子メールの着信があったことについて知らせることができる映像表示装置、携帯情報端末及び映像表示システムを提供する。【解決手段】映像表示装置は、番組を表示する表示部を備える映像表示装置において、ＣＭと番組本編との切り替わりを検出するＣＭ検出部と、携帯情報端末から電子メール情報の受信を行う電子メール情報受信部とを備えており、前記ＣＭ検出部において、番組本編からＣＭへの切り替わりを検出した時点における前記電子メール情報を前記表示部に表示する。【選択図】図１
2013207443.tif 000002
【特許請求の範囲】
【請求項１】
番組を表示する表示部を備える映像表示装置において、
ＣＭと番組本編との切り替わりを検出するＣＭ検出部と、
携帯情報端末から電子メール情報の受信を行う電子メール情報受信部とを備えており、
前記ＣＭ検出部において、番組本編からＣＭへの切り替わりを検出した時点における前記電子メール情報を前記表示部に表示することを特徴とする映像表示装置。
【請求項２】
前記映像表示装置は、検出情報送信部を備えており、該検出情報送信部は、前記ＣＭ検出部における検出結果を前記携帯情報端末に送信するものであり、
前記検出結果が、番組本編からＣＭへの切り替わりを示す場合には、前記検出結果を前記検出情報送信部から前記携帯情報端末に送信し、該携帯情報端末から前記電子メール情報を前記電子メール情報受信部において受信することを特徴とする請求項１に記載の映像表示装置。
【請求項３】
前記表示される電子メール情報は、電子メールの着信があったことを示す情報であることを特徴とする請求項１または２に記載の映像表示装置。
【請求項４】
前記表示される電子メール情報は、電子メール本文を示す情報であることを特徴とする請求項１〜３に記載の映像表示装置。
【請求項５】
前記表示される電子メール情報は、着信時刻、送受信者の登録使用者名、送信元アドレス、受信アドレス、電子メールの件名、送受信者の登録画像及び電子メールの添付ファイルのうち、少なくともいずれか一つを含むことを特徴とする請求項３または４に記載の映像表示装置。
【請求項６】
前記表示される電子メール情報とともに未読又は既読の表示を更に行うことを特徴とする請求項１〜５に記載の映像表示装置。
【請求項７】
前記映像表示装置は、電子メール情報判定部を備えており、該電子メール情報判定部は、電子メール本文にＵＲＬを含むか否かを判定するものであり、
前記電子メール情報判定部が、ＵＲＬを含むと判定した場合には、前記電子メール情報を表示しないことを特徴とする請求項１、２または４に記載の映像表示装置。
【請求項８】
前記映像表示装置は、電子メール情報判定部を備えており、該電子メール情報判定部は、電子メール本文にＵＲＬを含むか否かを判定するものであり、
前記電子メール情報判定部が、ＵＲＬを含むと判定した場合には、電子メールの着信があったことを示す情報のみ表示することを特徴とする請求項１、２または４に記載の映像表示装置。
【請求項９】
前記表示される電子メール情報は、複数の電子メールの着信があったことを示す情報の一覧表示であることを特徴とする請求項１〜３、６または８に記載の映像表示装置。
【請求項１０】
前記表示される電子メールの着信があったことを示す情報は、電子メール本文を示す情報に切り替えられることを特徴とする請求項１〜３、６または９に記載の映像表示装置。
【請求項１１】
電子メールの送受信を行う送受信部を備える携帯情報端末において、
前記送受信部において受信した電子メールにもとづく電子メール情報を請求項１〜１０に記載の映像表示装置に送信する電子メール情報送信部を備えることを特徴とする携帯情報端末。
【請求項１２】
請求項１〜１０に記載の映像表示装置と、
携帯情報端末から構成される映像表示システムであって、
前記映像表示装置は、携帯情報端末を認識する通信部を備え、
前記携帯情報端末は、前記映像表示装置を認識する通信部と、
電子メール情報を前記映像表示装置に送信する電子メール情報送信部とを備えており、
前記映像表示装置及び前記携帯情報端末が通信部を介して通信を行った場合に、
前記電子メール情報送信部から前記映像表示装置に前記電子メール情報を送信することを特徴とする映像表示システム。
【発明の詳細な説明】
【技術分野】
【０００１】
本発明は、携帯情報端末が受信した電子メールを映像表示装置に表示する映像表示装置、携帯情報端末及び映像表示システムに関する。
【背景技術】
【０００２】
近年、携帯電話機等の携帯情報端末が普及しており、盛んに用いられている。当該携帯情報端末においては、通話に加えて、電子メールのやり取りも行うことができて、該電子メールの着信時には、着信音、又はバイブレーション等によって使用者に通知を行う。
【０００３】
しかしながら、例えば、使用者が映像表示装置において番組を視聴している場合、前記着信音、又はバイブレーション等に気付かずに、電子メールの着信があったことを知ることができない可能性がある。
【０００４】
特許文献１には、電子メールの着信があったときに、その旨を映像表示装置の表示画面に表示する技術について開示されている。図１１は、そのときの様子を示しており、基地局４８、映像表示装置４９、ＯＳＤ表示５０、ディスプレイ５１、ＬＥＤ５２、携帯端末機５３である。図１１に示すように、テレビ番組視聴中に着信があった場合であって、携帯端末機の着信を報知する音量を小さく設定していて前記着信に気付かなかったとしても、映像表示装置に電子メールの着信があった旨を表示することで、容易に着信があったことを知ることができる技術について開示されている。
【先行技術文献】
【特許文献】
【０００５】
【特許文献１】特開２００６−２２９５５７号公報
【発明の概要】
【発明が解決しようとする課題】
【０００６】
しかしながら、特許文献１に記載の技術では、電子メールの着信があった旨の表示を番組本編であっても行うため、番組本編の観察を妨げることになり不都合を生ずる。
【０００７】
そこで、本発明は係る課題を解決するためになされたものであり、番組本編の観察を妨げることなく、携帯情報端末に電子メールの着信があったことについて知らせることができる映像表示装置、携帯情報端末及び映像表示システムを提供することを目的とする。
【課題を解決するための手段】
【０００８】
本発明に係る映像表示装置は、番組を表示する表示部を備える映像表示装置において、ＣＭと番組本編との切り替わりを検出するＣＭ検出部と、携帯情報端末から電子メール情報の受信を行う電子メール情報受信部とを備えており、前記ＣＭ検出部において、番組本編からＣＭへの切り替わりを検出した時点における前記電子メール情報を前記表示部に表示することを特徴とする。
【０００９】
前記映像表示装置は、検出情報送信部を備えており、該検出情報送信部は、前記ＣＭ検出部における検出結果を前記携帯情報端末に送信するものであり、前記検出結果が、番組本編からＣＭへの切り替わりを示す場合には、前記検出結果を前記検出情報送信部から前記携帯情報端末に送信し、該携帯情報端末から前記電子メール情報を前記電子メール情報受信部において受信することを特徴とする。
【００１０】
前記表示される電子メール情報は、電子メールの着信があったことを示す情報であることを特徴とする。
【００１１】
前記表示される電子メール情報は、電子メール本文を示す情報であることを特徴とする。
【００１２】
前記表示される電子メール情報は、着信時刻、送受信者の登録使用者名、送信元アドレス、受信アドレス、電子メールの件名、送受信者の登録画像及び電子メールの添付ファイルのうち、少なくともいずれか一つを含むことを特徴とする。
【００１３】
前記表示される電子メール情報とともに未読又は既読の表示を更に行うことを特徴とする。
【００１４】
前記映像表示装置は、電子メール情報判定部を備えており、該電子メール情報判定部は、電子メール本文にＵＲＬを含むか否かを判定するものであり、前記電子メール情報判定部が、ＵＲＬを含むと判定した場合には、前記電子メール情報を表示しないことを特徴とする。
【００１５】
前記映像表示装置は、電子メール情報判定部を備えており、該電子メール情報判定部は、電子メール本文にＵＲＬを含むか否かを判定するものであり、前記電子メール情報判定部が、ＵＲＬを含むと判定した場合には、電子メールの着信があったことを示す情報のみ表示することを特徴とする。
【００１６】
前記表示される電子メール情報は、複数の電子メールの着信があったことを示す情報の一覧表示であることを特徴とする。
【００１７】
前記表示される電子メールの着信があったことを示す情報は、電子メール本文を示す情報に切り替えられることを特徴とする。
【００１８】
本発明に係る携帯情報端末は、電子メールの送受信を行う送受信部を備える携帯情報端末において、前記送受信部において受信した電子メールにもとづく電子メール情報を上記記載の映像表示装置に送信する電子メール情報送信部を備えることを特徴とする。
【００１９】
本発明に係る映像表示システムは、上記記載の映像表示装置と、携帯情報端末から構成される映像表示システムであって、前記映像表示装置は、携帯情報端末を認識する通信部を備え、前記携帯情報端末は、前記映像表示装置を認識する通信部と、電子メール情報を前記映像表示装置に送信する電子メール情報送信部とを備えており、前記映像表示装置及び前記携帯情報端末が通信部を介して通信を行った場合に、前記電子メール情報送信部から前記映像表示装置に前記電子メール情報を送信することを特徴とする。
【発明の効果】
【００２０】
本発明に係る映像表示装置、携帯情報端末及び映像表示システムによれば、番組本編の観察を妨げることなく電子メールの着信があったことについて知らせることができる。
【図面の簡単な説明】
【００２１】
【図１】本発明の第１の実施例に関するブロック構成図。
【図２】本発明の第１の実施例に関する映像表示装置の表示画面を示す図。
【図３】本発明の第１の実施例に関する映像表示装置の表示画面を示す図。
【図４】本発明の第１の実施例に関する映像表示装置の表示画面を示す図。
【図５】本発明の第１の実施例に関する映像表示装置の表示画面を示す図。
【図６】本発明の第１の実施例に関する映像表示装置の表示画面を示す図。
【図７】本発明の第２の実施例に関するブロック構成図。
【図８】本発明の第３の実施例に関するブロック構成図。
【図９】本発明の第４の実施例に関するブロック構成図。
【図１０】本発明の第４の実施例に関する映像表示装置の表示画面を示す図。
【図１１】従来技術に関する説明図。
【発明を実施するための形態】
【実施例１】
【００２２】
本発明の実施例１について、図１を用いて説明する。図１は、本発明に係る映像表示装置及、携帯情報端末及び映像表示システムに係るブロック構成図であり、映像表示装置１は、映像音声処理部２、制御部３、表示制御部４、表示部５、ＣＭ検出部６、電子メール情報表示発生部７、電子メール情報受信部８、電子メール記憶部９、通信部１０から構成されている。１１はアンテナである。
【００２３】
また、携帯情報端末１２は、アンテナ１３、送受信部１４、制御部１５、電子メール記憶部１６、電子メール情報送信部１７、通信部１８から構成されている。
【００２４】
前記映像表示装置とは、例えば、テレビ受像機又はデジタルチューナ内臓のパーソナルコンピュータ等である。また、前記携帯情報端末とは、例えば、携帯電話機又は無線通信機能付きＰＤＡである。
【００２５】
尚、本明細書においてＣＭとは、番組本編の前後又は中間に放送されるコマーシャルメッセージであり、前記番組本編及び前記ＣＭとを併せて番組と呼ぶこととする。
【００２６】
次に、本実施例の動作について説明する。通信部１０は、映像表示装置１と携帯情報端末１２との間で通信を行い、互いの機器を認識する。前記通信は、例えば、映像表示装置１の電源をオンにしたときに、携帯情報端末１２に信号を送信して前記携帯情報端末１２からの信号を要求して、互いの機器を認識するような構成でもよいし、一定時間経過ごとに映像表示装置から携帯情報端末からの信号を要求するような構成であってもよい。
【００２７】
尚、前記通信は無線又は有線で行われるものであってよいし、無線通信のうち無線ＬＡＮを用いるものであってもよい。
【００２８】
通信部１０は、前記通信により、携帯情報端末１２の認識を行った後も所定時間経過ごとに、携帯情報端末１２が備える通信部１８に信号を送信して機器の認識を行うものとし、該認識ができないときは、付近に携帯情報端末がないものと判断する。
【００２９】
携帯情報端末１２の制御部１５は、映像表示装置１の認識を開始した後、携帯情報端末１２の送受信部１４に電子メールの着信があったときは、前記電子メールを電子メール記憶部１６に格納するとともに、電子メール情報送信部１７を介して映像表示装置１の電子メール情報受信部８に、電子メール情報として送信するように制御を行う。該制御方法は、予め所定のプログラムをメモリ（図示せず）に記憶しておき、前記プログラムに従って動作させることによって行う。また、前記送信は、無線又は有線で行われるものであってよく、無線通信のうち無線ＬＡＮを用いるものであってもよい。
【００３０】
尚、前記電子メール情報には、着信日、着信時刻、携帯情報端末に着信があった電子メールの本文、電子メールに添付されている添付ファイル、又は件名等に関するテキストデータが含まれていてもよいし、電子メールの送信元アドレス、受信アドレス、携帯情報端末における使用者の登録名、送信者の登録名、送信者の登録画像、使用者の登録画像、電子メールの着信があったことを示す情報、携帯情報端末の個体識別情報等が含まれていてもよいものとする。
【００３１】
また、上記電子メール情報にどういった情報を含めるかについては、携帯情報端末において、所定の設定メニュー等で任意に設定できるものであってよいものとする。
【００３２】
また、前記送信を行った後であっても、電子メール記憶部１６に格納した電子メールについては、使用者によって確認されていない電子メールであるとしておいてもよい。これにより、例えば、使用者が番組本編を視聴している途中で、映像表示装置の電源をオフにし、映像表示装置において電子メールの確認を行わなかったような場合であっても、使用者が携帯情報端末を確認するときには、未読であると認識することができる。
【００３３】
尚、以下から、電子メール又は電子メール情報が使用者によって確認されていないことを未読、確認されたことを既読と呼ぶこととする。また、未読である電子メール又は電子メール情報について未読メールと呼び、既読である電子メール又は電子メール情報については既読メールと呼ぶこととする。
【００３４】
また、携帯情報端末において、映像表示装置に送信した電子メールについては、その旨を該電子メールと同時に表示するとしてもよいし、映像表示装置に送信していない電子メールとは区別して別途一覧として表示するような構成であってもよい。
【００３５】
映像表示装置１の制御部３は、電子メール情報受信部８を介して前記電子メール情報が入力されたとき、電子メール記憶部９に格納する。
【００３６】
アンテナ１１は、放送波を受信して周波数変換を行い、映像音声処理部２に出力する。尚、放送波の受信に関して、アンテナを用いた構成でなく有線放送のような有線によるものであってもよい。
【００３７】
映像音声処理部２は、入力された放送波から、復調する放送信号の選局を行い、入力された放送信号の映像音声部分、番組情報等を含むデータ部分とを分離し、圧縮符号化された映像データや音声データを表示データや発生音データにデコードし、表示制御部４に出力する。
【００３８】
ＣＭ検出部６は、映像音声処理部２において、デコードされた音声信号にもとづいて、番組本編とＣＭとの間の無音区間を検出することにより、番組本編からＣＭに切り替わったことの検出（以下、ＣＭ検出と称呼する）を行う。前記無音区間の検出は、種々の周知技術によって実現可能であり、例えば特開２００７−２６６６５３号公報に記載されているような手法を用いることにより行う。
【００３９】
ＣＭ検出部６は、ＣＭ検出を行った結果、番組本編からＣＭに切り替わったとき、又はＣＭから番組本編に切り替わったときを検出情報として制御部３に通知する。
【００４０】
制御部３は、前記入力される通知が、番組本編からＣＭに切り替わったことを示す通知である場合、電子メール記憶部９に格納されている電子メール情報を電子メール情報表示発生部７に出力する。
【００４１】
また、制御部３は、後述する表示部５に電子メール情報を表示している時に、ＣＭから番組本編に切り替わったことに関する検出結果が通知された場合には、表示を止めるように制御を行う。また、前記電子メール情報が表示されているときに、使用者によって選局操作が行われたときには、表示しないようにしてもよい。これにより、選局後の放送チャンネルが番組本編であっても、該番組本編の観察を妨げないようにするこができる。
【００４２】
電子メール情報表示発生部７は、前記入力される電子メール情報にもとづいて、電子メールの着信があった旨を示す情報の表示を発生させ、表示制御部４を介して、表示部５において表示する。
【００４３】
尚、詳しくは後述するが、上記に限らず、前記電子メール情報に、例えば電子メール本文などが含まれていれば、これらについても同時に表示させてもよいものとし、前記電子メールの着信があった旨を示す情報は、電子メール本文の表示であってもよいものとする。
【００４４】
図２は、前記電子メール情報を表示するときの表示画面について示している。図２（Ａ）において、１９はＣＭ映像を表示している表示領域で、２０は黒画像であり、前記ＣＭ映像の表示領域を縮小する際に生じる映像が欠落する領域である。２１は電子メール情報を表示する子画面表示領域であり、２２は電子メールの着信があった旨の表示で、２３は送信者の登録名を２４は携帯情報端末１２に着信があった時刻について表示している。
【００４５】
図２（Ｂ）は、着信があった旨の表示２２をＣＭ映像に対して、重畳させてＯＳＤ表示として表示している。また、図２（Ｃ）の２５は、電子メールの着信があった携帯情報端末１２の使用者の登録名を表示している。これにより、映像表示装置１の付近に使用者の異なる複数の携帯情報端末がある場合であっても、いずれかの携帯情報端末に着信があったかを知ることができる。
【００４６】
また、図２（Ｄ）は、電子メールの着信があった旨を複数表示する場合であって、図２（Ｄ）では、２件分の着信があったときに一覧表示する様子について示している。前記一覧表示は、電子メールの着信があった時刻が早いほうから順に、紙面に向かって上段から下段に向かって並べて表示している。
【００４７】
上述したように、着信があった電子メールに関して、番組本編からＣＭに切り替わったときに表示することで、番組の視聴中であって前記電子メールの着信があったことに気づかない場合であっても、番組本編の観察を妨げることなく前記着信があったことについて知ることができる。
【００４８】
また、図３も電子メール情報を表示するときの表示画面を示していて、図３（Ａ）における子画面表示領域２１には、電子メール本文２６を表示していて、２７は前記表示領域を移動するためのスクロールバーである。該スクロールバーは、例えばリモコン（図示せず）の所定の操作ボタンによって紙面に向かって上下に移動させることによって、前記表示領域を移動させられるものである。前記スクロールバーは、電子メール本文が長く、所定の表示領域では一度に表示できないときに有効である。
【００４９】
また、図３（Ｂ）においては、詳細２８を選択することで、図３（Ｃ）に示すように、電子メール本文２６を表示する表示画面に切り替えることができる。
【００５０】
上述したように、電子メール本文を表示することにより、電子メールの着信があったことを知ることができ、加えて、映像表示装置のような大きな表示画面に電子メール本文を表示することで、視力の低い、又は目の不自由な使用者であっても容易に前記電子メールの内容を容易に知ることができる。
【００５１】
また、図４は、ＣＭ映像を片端に移動させて、黒画像２０を表示する代わりに所定の情報を子画面表示領域２９に表示している様子を示している。図４（Ａ）は、前記黒画像領域に送信者の登録画像３０を表示しており、図４（Ｂ）は、電子メールに添付されている添付ファイル３１を表示している。該添付ファイルは、写真等の添付ファイル中に格納されているデータを表示してもよいし、ファイル名であってもよい。  また、図４（Ｃ）は、ＣＭ開始時からの経過時間３２を表示している。これにより、ＣＭが終了するまでの時間の目安とすることができる。図４（Ｄ）は、映像表示装置の通信部１０と通信を行っている携帯情報端末の一覧３３の表示を行っており、使用者は現在映像表示装置と通信中の携帯情報端末を容易に知ることができる。
【００５２】
また、図５（Ａ）は、子画面表示領域２９に送信者の登録名の一覧３４として表示しており、は前記一覧から送信者を選択するためのカーソル３５である。所定の送信者の登録名を選択して、詳細を選択することで前記送信者から送信された電子メールの本文を表示する。図５（Ａ）においては、カーソル３５は、上から二段目の△△さんを選択しているので、詳細を選択することで、△△さんから送信された電子メール本文を閲覧することができる。
【００５３】
また、削除３６を選択することで、カーソル３５で選択している送信者の登録名の表示を削除するとともに、電子メール情報を電子メール情報記憶部９から削除する。尚、送信者の登録名を表示するとしたが、これに限られず、電子メールの送信元アドレス、件名等であってもよい。
【００５４】
図５（Ｂ）は、図５（Ａ）と同様に、黒画像には送信者の登録名を一覧として表示しており、表示領域２９には電子メール本文を表示していて、次へ３７を選択することで、カーソルが上段から下段へ１つ移動して別の送信者の登録名を選択するとともに、前記送信者から送信された電子メール本文を表示する。図５（Ｂ）においては、次へ３７を選択することでカーソルは××さんを選択するとともに、××さんから送信された電子メール本文の表示を行う。
【００５５】
また、図６（Ａ）は、子画面表示領域２９に「了解」、「あとで連絡します」、「取り込み中」の応答文の一覧表示３８であり、使用者がいずれかを選択して決定することで、子画面表示領域２９に表示されている電子メール本文に係る送信元アドレスに、応答文の返信を行うことができる。図６（Ｂ）は、子画面表示領域２９に、現在選局中の番組に係るデータ放送３９を表示しており、図６（Ｃ）は、現在放送中の番組の一覧４０を表示している。
【００５６】
尚、上述した電子メール情報を表示するときの表示画面の態様は、上記に限られないし、本実施例において具体例として示した電子メール情報の表示領域に係る表示態様は、相互に組み合わせて用いてもよいことは言うまでもない。
【００５７】
また、映像表示装置において、特定の携帯情報端末から送信された電子メール情報については、例えば電子メールの着信があったことのみを表示し電子メール本文については表示を行わないであるとか、送信者の登録名は表示しないというような構成であってもよい。
【００５８】
前記特定の携帯情報端末であるか否かの判断は、例えば、予め映像表示装置に前記携帯情報端末の個体識別情報を格納しておき、受信する電子メール情報に含まれる個体識別情報と突き合わせることなどによって行う。また、電子メール情報のうち、どういった情報を表示画面に表示するかについては、所定の設定メニューから選択できるものであってよい。
【実施例２】
【００５９】
本発明の実施例２について図７を用いて説明する。図７は、本発明に係る映像表示装置、携帯情報端末及び映像表示システムに係るブロック構成図であり、実施例１と異なる構成は、映像表示装置に検出情報送信部４１を、携帯情報端末に検出情報受信部４２を設け、映像表示装置における電子メール記憶部９を省いたことである。
【００６０】
以下、本実施例における動作について説明する。制御部３は、ＣＭ検出部６から、番組本編からＣＭに切り替わったことに係る検出情報の通知を受けた場合に、検出情報送信部４１を介して、携帯情報端末１２が備える検出情報受信部４２に送信する。
【００６１】
携帯情報端末１２が備える送受信部１４は、アンテナ１３が受信する電子メールを電子メール記憶部１６に出力し格納する。
【００６２】
制御部１５は、検出情報受信部４２に通知される検出情報にもとづき、電子メール記憶部１６に、未読メールが格納されているならば、電子メール情報として、電子メール情報送信部１７を介して、映像表示装置１が備える電子メール情報受信部８に送信する。
【００６３】
尚、上記により、電子メール情報を送信したときには、電子メール記憶部１６に格納されている電子メールを既読メールとして取り扱うとしてもよい。これにより、映像表示装置において確認した電子メールについては、携帯情報端末においても既読メールとして扱われるので、再度電子メールを確認する手間を省くことができる。
【００６４】
電子メール情報受信部８に前記電子メール情報が入力された場合、制御部は、電子メール情報表示発生部７に対して、電子メール情報を表示する画面を発生させるように指示する。以下、実施例１と同様の動作を行うため説明は省略する。
【実施例３】
【００６５】
本発明の実施例３について図８を用いて説明する。図８は、本発明に係る映像表示装置、携帯情報端末及び映像表示システムに係るブロック構成図であり、実施例１と異なる構成は、電子メール情報判定部４３及び記憶部４４を映像表示装置１に新たに設けていることである。尚、実施例１と同一の構成、動作を行うものについては同一の符号を付してその説明を省略する。
【００６６】
以下、本実施例における動作について説明する。電子メール情報受信部８が、電子メール情報を受信したときに、制御部３を介して、電子メール情報判定部４３に前記電子メール情報は出力される。
【００６７】
電子メール情報判定部４３は、入力される前記電子メール情報から、電子メールの内容について判定を行い、所定の電子メール情報については、表示を行わないように制御する指示を与える。
【００６８】
前記判定は、例えば、ＵＲＬ（Ｕｎｉｆｏｒｍ Ｒｅｓｏｕｒｃｅ Ｌｏｃａｔｏｒ）が電子メール情報のうちの電子メール本文に含まれているか否かを検出すること、又は記憶部に有害な内容を連想させる所定の単語などを予め記録しておき、これらが電子メール本文中に含まれているか否かを検出することによって判定を行う。
【００６９】
電子メール情報判定部４３は、前記判定が、表示を行わない旨の判定結果である場合には、その旨を制御部に伝え表示を行わないようにする。
【００７０】
これにより、例えば、番組視聴中の未成年者がいる場合などであっても、有害な内容を含む電子メール情報に関しては、表示を行うことを防止することができる。以下、実施例１と同様の動作を行うため説明は省略する。
【実施例４】
【００７１】
本発明の実施例４について図９を用いて説明する。図９は、本発明に係る映像表示装置、携帯情報端末及び映像表示システムに係るブロック構成図であり、実施例１と異なる構成は、確認済信号送受信部４５、４６を映像表示装置１、携帯情報端末１２に新たに設けていることである。尚、実施例１と同一の構成、動作を行うものについては同一の符号を付してその説明を省略する。
【００７２】
以下、本実施例における動作について説明する。最初に、映像表示装置において電子メール情報を確認したときに、未読メール又は既読メールとするときの動作について説明する。
【００７３】
制御部３は、番組本編からＣＭに切り替わったことを示す通知が入力されたことに伴って、電子メール情報記憶部９に格納されている電子メール情報を電子メール情報表示発生部７に出力する。この際、電子メール記憶部９に格納されていて、前記出力を行った電子メール情報については既読として取り扱うものとする。これにより、表示部５で表示される電子メール情報について、未読又は既読について容易に判断することができる。
【００７４】
図１０は、表示される電子メール情報の一例を示しており、４７は電子メール情報について未読又は既読を表示していて、表示部５において表示された電子メール情報に関しては既読の表示を行っている。
【００７５】
尚、これに限らず、前記出力を行った電子メール情報については、電子メール記憶部９から削除するとしてもよい。
【００７６】
更に、制御部３は、既読とした電子メール情報に係る所定の情報を確認済信号送受信部４５、４６を介して携帯情報端末に通知する。前記所定の情報とは、例えば、電子メールが携帯情報端末に着信した時刻の情報である。
【００７７】
携帯情報端末１２は、前記通知される情報にもとづいて、電子メール記憶部１６に格納されている電子メールを既読とするように制御を行う。
【００７８】
上述したように、映像表示装置において確認した電子メール情報については、携帯情報端末では既読として取り扱うことにより、繰り返し同一内容の電子メールを確認することを防止することができる。
【００７９】
次に、携帯情報端末において、映像表示装置に送信した電子メール情報に係る電子メールを確認した場合の動作について説明する。
【００８０】
制御部１５は、使用者が電子メール記憶部１６に格納されている電子メールであって、映像表示装置に送信した電子メール情報に係る電子メールを確認したときは、該電子メールに係る所定の情報のうち、例えば着信時刻の情報を確認済信号送受信部４５、４６を介して映像表示装置に通知する。
【００８１】
映像表示装置の制御部３は、前記通知にもとづいて、電子メール情報記憶部に格納されている所定の電子メール情報について未読とする又は削除するように制御を行う。
【００８２】
これにより、携帯情報端末において確認した電子メールについては、映像表示装置において繰り返し確認することを防止することができる。
【符号の説明】
【００８３】
１  映像表示装置
２  映像音声処理部
３、１５  制御部
４  表示制御部
５  表示部
６  ＣＭ検出部
７  電子メール情報表示発生部
８  電子メール情報受信部
９  電子メール記憶部
１０、１８  通信部
１１、１３  アンテナ
１２  携帯情報端末
１４  送受信部
１６  電子メール記憶部
１７  電子メール情報送信部
４１  検出情報送信部
４２  検出情報受信部
４３  電子メール情報判定部
４４  記憶部
４５、４６  確認済信号送受信部
【図１】
2013207443.tif 000003
【図２】
2013207443.tif 000004
【図３】
2013207443.tif 000005
【図４】
2013207443.tif 000006
【図５】
2013207443.tif 000007
【図６】
2013207443.tif 000008
【図７】
2013207443.tif 000009
【図８】
2013207443.tif 000010
【図９】
2013207443.tif 000011
【図１０】
2013207443.tif 000012
【図１１】
2013207443.tif 000013